(57)【要約】【課題】  ユーザに趣向性の高いサービスを提供する。【解決手段】  携帯電話から投票ページの送信要求をサーバに対して行うと（ＳＫ１）、投票ページを示す投票ページデータが送信されるので（ＳＳ１）、この投票ページをモニタに表示する。投票ページに一覧表示されたアーチストからＣＭに出演させたいアーチストを選択して投票すると（ＳＫ２）、サーバでは、ユーザの有効ポイントから投票に必要な投票ポイントを減算して投票時保留ポイントへ移行する（ＳＳ２）。また、投票されたアーチストの投票数３６を１加算してデータベース内の投票数を更新する（ＳＳ３）。出演アーチスト確定時において、投票しないアーチストの出演が決定したユーザに対しては、投票に要したポイントを返還する。【選択図】        図４
2005332095.tif 000002
【特許請求の範囲】
【請求項１】
ユーザが利用する携帯端末とデータベースを備えたサーバとがネットワークを介して通信可能に接続されて構成され、付与済みの有効ポイントが前記ユーザに関連付けられて前記データベースに記憶された投票システムであって、
前記携帯端末は、
前記サーバに対して投票項目の送信を要求する投票項目要求手段と、
前記サーバから送信された投票項目データを受信して該投票項目データが示す投票項目を表示する投票項目表示手段と、
ユーザによって選択された投票項目を示す選択データを、ユーザを示す識別データと共に前記サーバへ送信する選択データ送信手段とを備え、
前記サーバは、
前記携帯端末からの投票項目の送信要求に応じて投票項目を示す投票項目データを送信要求した携帯端末に対して送信する投票項目送信手段と、
前記携帯端末から送信された選択データ及び識別データを受信した際に、当該識別データが示すユーザの有効ポイントから当該投票に必要なポイント数を減算するとともに、受信した選択データが示す投票項目を前記識別データが示すユーザに関連付けて記憶し、当該投票項目の投票数を増加する投票手段と、
投票期限到達後に各投票項目に対応した投票数に基づいて予め設定された設定内容に該当する該当項目を決定する該当項目決定手段と、
前記ユーザにて投票された投票項目と前記該当項目とが一致しない場合に、当該投票に必要なポイント数を当該ユーザの有効ポイントに加算するポイント返還手段とを備えた
ことを特徴とする投票システム。
【請求項２】
前記サーバは、前記ユーザから投票された投票項目と前記該当項目とが一致した場合に、その一致した旨に加えて特典を取得できるページへのリンク情報を示す当選通知データを当該ユーザが利用する携帯端末に対して送信する当選通知送信手段を備え、
前記携帯端末は、前記サーバから送られて来た当選通知データを受信して該当選通知データが示す前記一致した旨及び特典を取得できるページへのリンク情報を表示する当選通知表示手段を備えた
ことを特徴とする請求項１記載の投票システム。
【請求項３】
ユーザが利用する携帯端末にネットワークを介して通信可能に接続されるとともに、付与済みの有効ポイントを前記ユーザに関連付けて記憶するデータベースが設けられたサーバであって、
前記携帯端末からの投票項目の送信要求に応じて投票項目を示す投票項目データを送信要求した携帯端末に対して表示可能な形態で送信する投票項目送信手段と、
前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手段と、
投票期限到達後に各投票項目に対応した投票数に基づいて予め設定された設定内容に該当する該当項目を決定する該当項目決定手段と、
前記ユーザにて投票された投票項目と前記該当項目とが一致しない場合に、当該投票に必要なポイント数を当該ユーザの有効ポイントに加算するポイント返還手段と、
を備えたことを特徴とするサーバ。
【請求項４】
前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手段を備えたことを特徴とする請求項３記載のサーバ。
【請求項５】
ユーザが利用する携帯端末にネットワークを介して通信可能に接続されるとともに、付与済みの有効ポイントを前記ユーザに関連付けて記憶するデータベースが設けられたサーバを用いる投票方法であって、
前記携帯端末からの投票項目の送信要求に応じて投票項目を示す投票項目データを送信要求した携帯端末に対して表示可能な形態で送信する投票項目送信ステップと、
前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票ステップと、
投票期限到達後に各投票項目に対応した投票数に基づいて予め設定された設定内容に該当する該当項目を決定する該当項目決定ステップと、
前記ユーザにて投票された投票項目と前記該当項目とが一致しない場合に、当該投票に必要なポイント数を当該ユーザの有効ポイントに加算するポイント返還ステップと、
を備えたことを特徴とする投票方法。
【請求項６】
前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信ステップを備えたことを特徴とする請求項５記載の投票方法。
【請求項７】
ユーザが利用する携帯端末にネットワークを介して通信可能に接続されるとともに、付与済みの有効ポイントを前記ユーザに関連付けて記憶するデータベースが設けられたサーバのコンピュータに実行させる投票プログラムであって、
前記携帯端末からの投票項目の送信要求に応じて投票項目を示す投票項目データを送信要求した携帯端末に対して表示可能な形態で送信する投票項目送信手順と、
前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手順と、
投票期限到達後に各投票項目に対応した投票数に基づいて予め設定された設定内容に該当する該当項目を決定する該当項目決定手順と、
前記ユーザにて投票された投票項目と前記該当項目とが一致しない場合に、当該投票に必要なポイント数を当該ユーザの有効ポイントに加算するポイント返還手順と、
を備えたことを特徴とする投票プログラム。
【請求項８】
前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手順を備えたことを特徴とする請求項７記載の投票プログラム。
【請求項９】
ユーザが利用する携帯端末にネットワークを介して通信可能に接続されるとともに、付与済みの有効ポイントを前記ユーザに関連付けて記憶するデータベースが設けられたサーバを制御する為のプログラムが記憶された記録媒体であって、
前記携帯端末からの投票項目の送信要求に応じて投票項目を示す投票項目データを送信要求した携帯端末に対して表示可能な形態で送信する投票項目送信手順と、
前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手順と、
投票期限到達後に各投票項目に対応した投票数に基づいて予め設定された設定内容に該当する該当項目を決定する該当項目決定手順と、
前記ユーザにて投票された投票項目と前記該当項目とが一致しない場合に、当該投票に必要なポイント数を当該ユーザの有効ポイントに加算するポイント返還手順と、
を備えたことを特徴とする記録媒体。
【請求項１０】
前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手順を備えたことを特徴とする請求項９記載の記録媒体。
【発明の詳細な説明】
【技術分野】
【０００１】
本発明は、例えばテレビのコマーシャルに登場させるアーチストを投票する投票システムに関する。
【背景技術】
【０００２】
従来、オフライン上の購買取引に対して広告を視聴取したユーザにポイントを付与するシステムが知られている（例えば、特許文献１参照。）。
【０００３】
このシステムでは、取得したポイントでキャッシュバックを受けたり、新規端末機購入時に割引が受けられるように構成されている。
【０００４】
また、前記ポイントを利用して携帯電話用の着信メロディをのダウンロードできるシステムも知られている。
【特許文献１】特表２００３−５２６２８４号公報
【発明の開示】
【発明が解決しようとする課題】
【０００５】
しかしながら、このようなサービスにあっては、よりユーザの興味を引くサービスの提供が要請されている。
【０００６】
本発明は、このような従来の課題に鑑みてなされたものであり、ユーザに趣向性の高いサービスを提供することができる投票システムを提供することを目的とするものである。
【課題を解決するための手段】
【０００７】
前記課題を解決するために本発明の一実施の形態にかかる投票システムにおいては、ユーザが利用する携帯端末とデータベースを備えたサーバとがネットワークを介して通信可能に接続されて構成され、付与済みの有効ポイントが前記ユーザに関連付けられて前記データベースに記憶された投票システムであって、前記携帯端末は、前記サーバに対して投票項目の送信を要求する投票項目要求手段と、前記サーバから送信された投票項目データを受信して該投票項目データが示す投票項目を表示する投票項目表示手段と、ユーザによって選択された投票項目を示す選択データを、ユーザを示す識別データと共に前記サーバへ送信する選択データ送信手段とを備え、前記サーバは、前記携帯端末からの投票項目の送信要求に応じて投票項目を示す投票項目データを送信要求した携帯端末に対して送信する投票項目送信手段と、前記携帯端末から送信された選択データ及び識別データを受信した際に、当該識別データが示すユーザの有効ポイントから当該投票に必要なポイント数を減算するとともに、受信した選択データが示す投票項目を前記識別データが示すユーザに関連付けて記憶し、当該投票項目の投票数を増加する投票手段と、投票期限到達後に各投票項目に対応した投票数に基づいて予め設定された設定内容に該当する該当項目を決定する該当項目決定手段と、前記ユーザにて投票された投票項目と前記該当項目とが一致しない場合に、当該投票に必要なポイント数を当該ユーザの有効ポイントに加算するポイント返還手段とを備えている。
【０００８】
すなわち、予め付与された有効ポイントを利用して例えばテレビのコマーシャルに出演するアーチストを三名の中から投票する場合、ユーザは、携帯端末をサーバに接続し、該サーバに対して投票項目の送信を要求する。すると、サーバは、この送信要求に応じて予め用意されたアーチスト名等からなる投票項目を示す投票項目データを送信要求した携帯端末に対して送信する。
【０００９】
これを受信した携帯端末には、前記投票項目データが示す投票項目が表示されるので、ユーザは、この表示からアーチストを示す投票項目を選択するとともに、その投票項目が示す選択データを、当該ユーザに付与された識別データと共に前記サーバへ送信する。このとき、前記携帯端末が携帯電話の場合、パケット料金計算用に携帯電話に付与されたＩＤが前記識別データとして常時送信されるため、識別データの入力作業を省略することができる。
【００１０】
そして、前記携帯端末から送られて来た選択データ及び識別データを受信したサーバでは、当該識別データが示すユーザの有効ポイントから当該投票に必要なポイント数を減算する。また、受信した選択データが示す投票項目を前記識別データが示すユーザに関連付けて記憶するとともに、当該投票項目の投票数を増加して記憶することにより、データベース内の投票数を更新する。
【００１１】
このサーバは、投票期限が到達した際に、各投票項目に対応した投票数を集計するとともに、この集計結果に基づいて予め設定された設定内容に該当する該当項目を決定する。ここで、三名のアーチストのうち最も投票数が多かったアーチストを該当者とすることを前記設定内容とした場合、投票数の多い順に順付けをするとともに、第１位となったアーチストを該当項目とする。
【００１２】
そして、前記ユーザにて投票された投票項目と前記該当項目とが一致しない場合に、当該投票に必要なポイント数を当該ユーザの有効ポイントに加算する。つまり、ユーザが投票したアーチストが第１位となり、コマーシャルへの出演が決定した際には、当該ユーザ所有の有効ポイントが消費される一方、ユーザが投票しなかったアーチストの出演が決定した際には、投票で使用したポイントが返還される。
【００１３】
また、前記サーバは、前記ユーザから投票された投票項目と前記該当項目とが一致した場合に、その一致した旨に加えて特典を取得できるページへのリンク情報を示す当選通知データを当該ユーザが利用する携帯端末に対して送信する当選通知送信手段を備え、前記携帯端末は、前記サーバから送られて来た当選通知データを受信して該当選通知データが示す前記一致した旨及び特典を取得できるページへのリンク情報を表示する当選通知表示手段を備えている。
【００１４】
すなわち、前記サーバは、ユーザから投票された投票項目と該当項目とが一致した場合に、その一致した旨に加えて特典を取得できるページへのリンク情報を示す当選通知データを当該ユーザが利用する携帯端末に対して送信し、これを受けた携帯端末では、前記当選通知データが示す前記一致した旨及び特典を取得できるページへのリンク情報が表示される。この特典の一例としては、携帯電話用の着信メロディや待ち受け画像を無料でダウンロードできるサイトのアドレス紹介等が挙げられる。
【００１５】
これにより、ユーザが投票したアーチストが第１位となり、コマーシャルへの出演が決定した際には、当該ユーザは、所有の有効ポイントが消費されるのみでは無く、特典の恩恵が受けられる。
【００１６】
また、サーバにおいては、ユーザが利用する携帯端末にネットワークを介して通信可能に接続されるとともに、付与済みの有効ポイントを前記ユーザに関連付けて記憶するデータベースが設けられたサーバであって、前記携帯端末からの投票項目の送信要求に応じて投票項目を示す投票項目データを送信要求した携帯端末に対して表示可能な形態で送信する投票項目送信手段と、前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手段と、投票期限到達後に各投票項目に対応した投票数に基づいて予め設定された設定内容に該当する該当項目を決定する該当項目決定手段と、前記ユーザにて投票された投票項目と前記該当項目とが一致しない場合に、当該投票に必要なポイント数を当該ユーザの有効ポイントに加算するポイント返還手段と、を備えている。
【００１７】
そして、前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手段を備えている。
【００１８】
これにより、このサーバに、前記携帯端末を接続して所定の操作を行うことによって、前述と同様の作用効果を得ることが可能となる。
【００１９】
また、投票方法においては、ユーザが利用する携帯端末にネットワークを介して通信可能に接続されるとともに、付与済みの有効ポイントを前記ユーザに関連付けて記憶するデータベースが設けられたサーバを用いる投票方法であって、前記携帯端末からの投票項目の送信要求に応じて投票項目を示す投票項目データを送信要求した携帯端末に対して表示可能な形態で送信する投票項目送信ステップと、前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票ステップと、投票期限到達後に各投票項目に対応した投票数に基づいて予め設定された設定内容に該当する該当項目を決定する該当項目決定ステップと、前記ユーザにて投票された投票項目と前記該当項目とが一致しない場合に、当該投票に必要なポイント数を当該ユーザの有効ポイントに加算するポイント返還ステップと、を備えている。
【００２０】
さらに、前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信ステップを備えている。
【００２１】
したがって、これらの処理をサーバに実行させることにより、請求項１又は２に記載した発明と同様の作用効果を得ることが可能となる。よって、記載される処理をコンピュータなどのハードウエアを用いて実行することにより、これらのハードウエアで本発明の投票技術を容易に実施することができる。
【００２２】
また、投票プログラムにおいては、ユーザが利用する携帯端末にネットワークを介して通信可能に接続されるとともに、付与済みの有効ポイントを前記ユーザに関連付けて記憶するデータベースが設けられたサーバのコンピュータに実行させる投票プログラムであって、前記携帯端末からの投票項目の送信要求に応じて投票項目を示す投票項目データを送信要求した携帯端末に対して表示可能な形態で送信する投票項目送信手順と、前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手順と、投票期限到達後に各投票項目に対応した投票数に基づいて予め設定された設定内容に該当する該当項目を決定する該当項目決定手順と、前記ユーザにて投票された投票項目と前記該当項目とが一致しない場合に、当該投票に必要なポイント数を当該ユーザの有効ポイントに加算するポイント返還手順と、を備えている。
【００２３】
さらに、前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手順を備えている。
【００２４】
したがって、サーバのコンピュータがこのプログラムに従って処理を実行することにより、前述と同様の作用効果を奏する。
【００２５】
また、記録媒体においては、ユーザが利用する携帯端末にネットワークを介して通信可能に接続されるとともに、付与済みの有効ポイントを前記ユーザに関連付けて記憶するデータベースが設けられたサーバを制御する為のプログラムが記憶された記録媒体であって、前記携帯端末からの投票項目の送信要求に応じて投票項目を示す投票項目データを送信要求した携帯端末に対して表示可能な形態で送信する投票項目送信手順と、前記携帯端末で表示された投票項目より選択された投票項目を示す選択データ及び当該選択を行ったユーザを示す識別データを前記携帯端末から受信した際に、前記識別データが示すユーザの有効ポイントから当該投票に必要なポイント数を減算するとともに、受信した選択データが示す投票項目を前記識別データが示すユーザに関連付けて記憶し、当該該投票項目の投票数を増加する投票手順と、投票期限到達後に各投票項目に対応した投票数に基づいて予め設定された設定内容に該当する該当項目を決定する該当項目決定手順と、前記ユーザにて投票された投票項目と前記該当項目とが一致しない場合に、当該投票に必要なポイント数を当該ユーザの有効ポイントに加算するポイント返還手順と、を備えている。
【００２６】
さらに、前記ユーザにて投票された投票項目と前記該当項目とが一致した場合に、その一致した旨に加えて特典を取得できるページへのリンク情報を示す当選通知データを当該ユーザが利用する携帯端末へ表示可能な形態で送信する当選通知送信手順を備えている。
【００２７】
したがって、サーバのコンピュータにこの記録媒体を読み込ませ、記載した手順に従った処理を実行させることにより、前述と同様の作用効果を奏する。
【発明の効果】
【００２８】
以上説明したように本発明にあっては、ユーザの有効ポイントを利用することで、例えばテレビのコマーシャルに出演するアーチストの投票を行うことができる。これにより、有効ポイントを付与するサービスへの加入を促進することができる。
【００２９】
また、ユーザが所有する有効ポイントを消費して、テレビコマーシャルの出演アーチストの選択等、ユーザの意見を反映することができる。したがって、ユーザに満足度の高いサービスを提供することができる。
【００３０】
一方、ユーザが投票した以外のアーチストが起用され、ユーザの投票内容と該当内容とが一致しない場合には、投票で使用したポイントが当該ユーザの有効ポイントに返還される。これにより、この返還ポイントを他の投票に利用することができるため、次の投票機会への期待を高める効果も得ることができる。
【００３１】
そして、ユーザが投票したアーチストが起用され、ユーザの投票内容と該当内容とが一致した場合には、当該ユーザ所有の有効ポイントは消費されることとなる。しかし、このユーザが利用する携帯端末には、投票したアーチストが起用された通知に加えて、特典を取得できるページへのリンク情報、例えば携帯電話用の着信メロディや待ち受け画像を無料でダウンロードできるサイトのアドレス紹介が行われる。
【００３２】
これにより、投票したアーチストが起用されたことに対する満足度に加えて、起用アーチストを投票した者のみに与えられる特典を得ることもできる。
【発明を実施するための最良の形態】
【００３３】
以下、本発明の一実施の形態を図面にしたがって説明する。図１は、本発明の一実施の形態にかかる投票システム１を示すブロック図であり、該投票システム１は、予め用意された複数の投票項目からユーザの投票を募りユーザの意見を反映させる為のシステムである。
【００３４】
この投票システム１は、ネットワークであるインターネット１１を利用して構築されており、該インターネット１１には、データベース１２を備えたサーバ１３が接続されている。インターネット１１には、携帯電話各社が構成する移動体通信網１４が接続されており、該移動体通信網１４には、多数の基地局１５が設けられている。これにより、サーバ１３には、インターネット１１及び移動体通信網１４の基地局１５を介して、携帯端末の一例である携帯電話１６が接続できるように構成されている。
【００３５】
サーバ１３に設けられたデータベース１２には、プログラムを記憶する為のプログラム記憶領域が設けられている。当該サーバ１３には、ＣＤ−ＲＯＭ等の記録媒体に記憶されたプログラムを読み込んでプログラム記憶領域へ記憶する図外の装置を備えている。また、データベース１２には、データを記憶する為のデータ記憶領域が設けられている。当該サーバ１３は、プログラム領域に記憶されたＷｅｂサーバプログラムに従って作動することにより、携帯電話１６と通信することができるとともに、通信内容をデータ記憶領域に記憶できるように構成されている。
【００３６】
データ記憶領域は、図２に示すように、当該サーバ１３を運用する運用会社に予め登録された会員のユーザーＩＤ２１が記憶されており、該ユーザーＩＤ２１は、会員を識別する為の識別データを構成している。また、データ記憶領域には、会員が所有するメールアドレス２２と、当該会員が現在所持する有効ポイント２３と、投票時に保留された投票時保留ポイント２４と、投票内容を識別する為の投票ＩＤ２５と、その投票内容２６とがユーザーＩＤ２１に関連付けられて記憶されている。
【００３７】
有効ポイント２３は、ユーザが着信メロディーのダウンロード等のサービスに対して現在使用可能なポイントである。各ユーザの有効ポイント２３は、例えば、所定の利用料を支払うことによって所定のポイントが付与される。
【００３８】
また、データ記憶領域は、図３に示すように、投票ＩＤ２５と、当該投票ＩＤ２５の投票で投票項目となる総ての選択肢３１〜３３及び当該選択肢３１〜３３への投票数３６〜３８と、投票を可能とする期限４１と、特典表示用のサイトのアドレスを示す特典用ＵＲＬ４２と、投票に要する予め設定された投票ポイント４３とが、投票ＩＤ２５に関連付けられて記憶されている。
【００３９】
一方、携帯電話１６は、マイコンを中心に構成されるとともに、基地局１５と無線通信する為の通信部を備えており、メモリに記憶されたＷｅｂブラウザプログラムを作動することで、移動体通信網１４及びインターネット１１を経由してサーバ１３と交信できるように構成されている。
【００４０】
以上の構成にかかる本実施の形態の動作を、図４及び図５に示すフローチャートに従って説明する。
【００４１】
すなわち、予め付与された有効ポイント２３を利用して、テレビのコマーシャルに出演するアーチストを三名の中から投票する場合、ユーザは、携帯電話１６を利用してサーバ１３に構築された所定のサイトにアクセスするとともに、予め付与されたユーザーＩＤを入力する等して当該サイトに形成されたページを閲覧する。すると、当該携帯電話１６のモニタには、図６の（ａ）に示すように、トップページ５１が表示される。このとき、利用する携帯端末は、携帯電話１６であるため、この携帯電話１６には、契約者毎に付与された携帯ＩＤがパケット料金計算用の為に記憶されており、この携帯ＩＤは、通信内容に付加されて送信されている。このため、この携帯ＩＤをユーザＩＤとして利用することで、ユーザＩＤの入力作業を省略することもできる。
【００４２】
このトップページ５１には、コマーシャルに出演するアーチストの投票を行う「ＣＭアーチスト投票」の表示５２と、着信メロディをダウンロードする「着メロディダウンロード」の表示５３とが選択可能に表示される。ユーザが携帯電話１６のカーソルキー等を利用して、「ＣＭアーチスト投票」の表示５２を選択して決定すると、この投票ページの送信要求が携帯電話１６からサーバ１３に対して行われる（ＳＫ１）。
【００４３】
この送信要求を受けたサーバ１３では、選択された投票ページを示す投票ページデータを、送信要求した携帯電話１６に対して送信し（ＳＳ１）、この投票ページデータを受けた携帯電話１６のモニタには、図６の（ｂ）に示すように、投票ページ６１が表示される。
【００４４】
投票ページデータには、当該投票ページ６１を示す「次のＣＭに出したいアーチストは？」の表示６２と、その投票項目である選択肢３１〜３３に記憶された三名のアーチスト名６３と、入力欄６４と、投票ボタン６５と、入力キャンセルボタン６６と、投票キャンセルボタン６７と、経過を見るボタン６８とを表示する為のデータを含んでおり、携帯電話１６のモニタには、三名のアーチスト名６３が一覧表示されるとともに、各表示やボタン６４〜６８が選択可能に表示される。
【００４５】
この投票を行う際には、携帯電話１６のカーソルキーや数字キーを利用して、一覧表示されたアーチスト名６３から投票したいアーチストの番号、例えばアーチストＡを示す「１」を入力欄６４に入力し、投票ボタン６５を選択して決定する。すると、当該携帯電話１６からは、アーチストＡを示す投票内容が選択データとしてサーバ１３に送信されると同時に、当該サイト閲覧時に入力したユーザＩＤがサーバ１３に送信される（ＳＫ２）。
【００４６】
このとき、携帯電話１６とサーバ１３との間では、投票確認の遣り取りが行われ、図７の（ａ）に示すように、携帯電話１６のモニタには、投票確認画面７１が表示される。また、この投票確認画面７１にて、ＯＫボタン７２を選択決定することによって、モニタには、投票終了画面７３が表示される。
【００４７】
これらの遣り取りを終えたサーバ１３では、携帯端末１６から送られて来たユーザーＩＤ２１の有効ポイント２３から当該投票に必要な投票ポイント４３、図３の例では「５」ポイントを減算し、この投票ポイント４３分である「５」ポイントを、投票時保留ポイント２４へ移行する（ＳＳ２）。また、受信した選択データが示すアーチストＡに対応する番号「１」をユーザーＩＤ２１が示す会員に関連付けられた投票内容２６の欄に記憶するとともに、アーチストＡが登録された選択肢３１をデータベース１２より検索し、該選択肢３１に対応した投票数３６の欄の内容を１加算して、データベース１２内の投票数を更新する（ＳＳ３）。
【００４８】
一方、投票した内容をキャンセルする際には、図６の（ｂ）に示したように、携帯電話１６のモニタに投票ページ６１を表示させ（ＳＳ４）、ユーザが投票ページ６１にて投票キャンセルボタン６７を選択決定すると（ＳＫ３）、携帯電話１６が投票をキャンセルする旨と当該サイト閲覧時に入力したユーザＩＤとからなるキャンセルデータをサーバ１３へ送信する（ＳＫ４）。
【００４９】
このとき、携帯電話１６とサーバ１３との間では、キャンセル確認の遣り取りが行われ、図７の（ｂ）に示すように、携帯電話１６のモニタには、キャンセル確認画面８１が表示される。また、このキャンセル確認画面８１にて、ＯＫボタン８２を選択決定することによって、モニタには、キャンセル終了画面８３が表示される。
【００５０】
これらの遣り取りを終えたサーバ１３では、ユーザーＩＤ２１の投票時保留ポイント２４に記憶されたポイント、図３の例では「５」を「０」とするとともに、このポイント「５」を有効ポイント２３に加算し（ＳＳ５）、当該ユーザが投票した投票内容２６から「１」が示すアーチストＡを検索し、該アーチストＡに対応する選択肢３１の投票数３６を１減算して、データベース１２内の投票数を更新する（ＳＳ６）。
【００５１】
また、投票経過を見たい場合には、図６の（ｂ）に示したように、携帯電話１６のモニタに投票ページ６１を表示させ、ユーザが投票ページ６１にて経過を見るボタン６８を選択決定すると、携帯電話１６は投票経過を見る旨の経過要求データをサーバ１３へ送信する（ＳＫ５）。すると、該サーバ１３では、現時点での各アーチストにおける投票数３６〜３８を検索して経過ページを作成して（ＳＳ７）、この経過ページを示す経過ページデータを、表示要求した携帯電話１６へ送信する（ＳＳ８）。これを受信した携帯電話１６のモニタには、図８に示すように、経過ページ９１が表示される。この経過ページ９１には、各アーチスト名９２〜９４とその得票数９５〜９７が表示されるとともに、投票ページ６１へ戻る為の戻るボタン９８も表示される。
【００５２】
そして、このサーバ１３は、投票期限が到達した否かを逐次判断し（ＳＳ９）、投票期限到達後には、各アーチストが設定された選択肢３１〜３３に対応した投票数３６〜３８を検索するとともに、この検索結果に基づいて予め設定された設定内容に該当する該当アーチストを決定する。ここで、三名のアーチストのうち最も投票数が多かったアーチストを該当者とすることを設定内容として予め設定した場合には、投票数の多い順に、アーチストＡを第１位に、アーチストＢを第３位に、アーチストＣを第２位に順付けし、第１位となったアーチストＡを次のコマーシャルの出演者とする（ＳＳ１０）。
【００５３】
次に、この投票を行ったユーザを対象にポイントの確定処理を行う（ＳＳ１１）。このポイント確定処理では、各ユーザが投票したアーチストＡが第１位となり、コマーシャルへの出演が決定した際には、当該ユーザ所有の有効ポイント２３は消費されたままとし、当該ユーザに関連付けられた投票時保留ポイント２４の欄を「０」にクリアする（ＳＳ１２）。また、ユーザが投票しなかったアーチストの出演が決定した際には、当該ユーザに関連付けられた投票時保留ポイント２４の「５」を「０」にクリアするとともに、この「５」ポイントを、当該ユーザの有効ポイント２３に加算する（ＳＳ１３）。これにより、投票したアーチストの出演が決定したユーザは、投票に要したポイントが消費される一方、投票したアーチスト以外の出演が決定したユーザに対しては、投票に要したポイントが返還される。
【００５４】
処理を総てのユーザに対して行った後、各ユーザ宛のメールを作成するとともに（ＳＳ１４）、このメールを各ユーザに関連付けされたメールアドレス２２へ送信する（ＳＳ１５）。
【００５５】
このとき、投票したアーチスト以外の出演が決定したユーザに対しては、その旨がメールで通知される。また、投票したアーチストの出演が決定したユーザに対しては、その旨に加えて特典を付与する旨がメールとして当該ユーザが利用する携帯端末１６に対して送信される。
【００５６】
図９は、このメールを受信した携帯電話１６のモニタに表示されたメール画面１０１を示す図であり、このメール画面１０１には、出演が決定したアーチスト名１０２と、特典ページ表示１０３とが表示されている。この特典ページ表示１０３は、特典ページを構成するサイトへの接続アドレスが関連付けられており、この特典ページ表示１０３を選択決定することにより、当該携帯電話１６を特典ページのサイトに自動接続して当該特典ページを表示させる。
【００５７】
この特典ページは、例えば携帯電話用の着信メロディや待ち受け画像を無料でダウンロードできるサイトからなり、当該特典ページにアクセスした者だけが、着信メロディや待ち受け画像をダウンロードして、当該携帯電話１６で使用できるように構成されている。これにより、ユーザが投票したアーチストが第１位となり、コマーシャルへの出演が決定した際には、当該ユーザは、所有の有効ポイント２３が消費されるのみでは無く、特典の恩恵が受けられる。
【００５８】
以上のように本実施の形態にあっては、ユーザの有効ポイント２３を利用することで、テレビのコマーシャルに出演するアーチストの投票を行うことができる。これにより、有効ポイント２３を付与するサービスへの加入を促進することができる。
【００５９】
また、ユーザが所有する有効ポイント２３を消費して、テレビコマーシャルの出演アーチストの選択等、ユーザの意見を反映することができる。したがって、ユーザに満足度の高いサービスを提供することができる。
【００６０】
一方、ユーザが投票した以外のアーチストが起用され、ユーザの投票アーチストと出演アーチストとが一致しない場合には、投票で使用したポイントが当該ユーザの有効ポイント２３に返還される。これにより、この返還ポイントを他の投票や他のサービスに利用することができるため、次の投票機会への期待を高める効果も得ることができる。
【００６１】
そして、ユーザが投票したアーチストが起用され、ユーザの投票アーチストと出演アーチストとが一致した場合には、当該ユーザ所有の有効ポイント２３は消費されることとなる。しかし、このユーザが利用する携帯端末１６には、投票したアーチストが起用された旨に加えて特典が付与されるメールが通知され、携帯電話用の着信メロディや待ち受け画像を無料でダウンロードできるサイトのアドレスが紹介される。
【００６２】
このため、投票したアーチストが起用されたことに対する満足度に加えて、起用アーチストを投票した者のみに与えられる特典を得ることもできる。
【００６３】
なお、本実施の形態の記録媒体としては、ＣＤ−ＲＯＭの他に、磁気ディスクや光磁気ディスクやメモリカード等が挙げられる。
【図面の簡単な説明】
【００６４】
【図１】本発明の一実施の形態を示すブロック図である。
【図２】同実施の形態のデータベースに記憶された記憶内容を示す図である。
【図３】同実施の形態のデータベースに記憶された他の記憶内容を示す図である。
【図４】同実施の形態の動作を示すフローチャートである。
【図５】図４に続くフローチャートである。
【図６】同実施の形態の携帯電話における表示画面を示す図であり、（ａ）はトップページを示す図で、（ｂ）は投票ページを示す図である。
【図７】同実施の形態の携帯電話における表示画面を示す図であり、（ａ）は投票確認画面を示す図で、（ｂ）はキャンセル確認画面を示す図である。
【図８】同実施の形態の携帯電話に表示された経過ページを示す図である。
【図９】同実施の形態の携帯電話に表示されたメール画面を示す図である。
【符号の説明】
【００６５】
１    投票システム
１１    インターネット
１２    データベース
１３    サーバ
１６    携帯電話
【図１】
2005332095.tif 000003
【図２】
2005332095.tif 000004
【図３】
2005332095.tif 000005
【図４】
2005332095.tif 000006
【図５】
2005332095.tif 000007
【図６】
2005332095.tif 000008
【図７】
2005332095.tif 000009
【図８】
2005332095.tif 000010
【図９】
2005332095.tif 000011